(57)【特許請求の範囲】
【請求項１】
通信システムにおいて制御チャネルを復号する方法であって、
ユーザ装置（ＵＥ）によって、干渉基地局によって送信される前記制御チャネルに関連する制御チャネル限定条件を決定することと、ここにおいて、前記制御チャネル限定条件に関する限定情報は、前記ＵＥのサービング基地局によってブロードキャストされ、前記限定情報は、制御チャネル限定タイプを示し、前記制御チャネル限定条件は、少なくとも１つのサブフレーム中の非連続的な制御チャネル要素（ＣＣＥ）への前記制御チャネルのスケジューリングに対する限定を含み、前記非連続的なＣＣＥ内の未使用のＣＣＥによって形成されるギャップが、前記制御チャネルに関連するアグリゲーションレベルを示すように構成される、
前記干渉基地局から受信された信号中の、前記制御チャネル限定条件に合致する少なくとも１つのサブフレームを識別することと、
前記干渉基地局によって送信された制御チャネルを検出するために、前記少なくとも１つのサブフレームを復号することと、前記復号することは、前記制御チャネル限定タイプに少なくとも部分的に合致する前記少なくとも１つのサブフレームを識別することを含む、
前記干渉基地局によって送信された前記復号された制御チャネルに基づいて、前記ＵＥにおいて前記サービング基地局から受信される送信に対して干渉抑制を実行することと、
を備える、方法。
【請求項２】
前記制御チャネル限定条件はさらに、前記少なくとも１つのサブフレーム中の制御チャネル送信の数に対する限定を含む、請求項１に記載の方法。
【請求項３】
前記制御チャネル限定条件はさらに、少なくとも１つのダウンリンク制御情報（ＤＣＩ）フォーマットのダウンリンクグラントの数に対する限定を含む、請求項１に記載の方法。
【請求項４】
前記制御チャネル限定条件はさらに、前記制御チャネルに関連するアグリゲーションレベルの限定を含む、請求項１に記載の方法。
【請求項５】
前記制御チャネル限定条件はさらに、前記制御チャネルに関連する検索空間に対する限定を含み、前記検索空間は、前記サービング基地局および前記干渉基地局によって決定されるオーバーラップしていない制御チャネル要素（ＣＣＥ）のセットを備える、請求項１に記載の方法。
【請求項６】
前記復号することは、前記制御チャネル限定条件に基づいて、前記干渉基地局に関連する前記制御チャネルをブラインド復号することを含む、請求項１に記載の方法。
【請求項７】
前記制御チャネルは物理ダウンリンク制御チャネル（ＰＤＣＣＨ）に対応する、請求項１に記載の方法。
【請求項８】
制御チャネルを復号するためのユーザ装置（ＵＥ）の装置であって、
干渉基地局によって送信される前記制御チャネルに関連する制御チャネル限定条件を決定するように構成される復号コンポーネントと、ここにおいて、前記制御チャネル限定条件に関する限定情報は、前記ＵＥのサービング基地局によってブロードキャストされ、前記限定情報は、制御チャネル限定タイプを示し、前記制御チャネル限定条件は、少なくとも１つのサブフレーム中の非連続的な制御チャネル要素（ＣＣＥ）への前記制御チャネルのスケジューリングに対する限定を含み、前記非連続的なＣＣＥ内の未使用のＣＣＥによって形成されるギャップが、前記制御チャネルに関連するアグリゲーションレベルを示すように構成される、
前記干渉基地局から受信された信号中の、前記制御チャネル限定条件に合致する少なくとも１つのサブフレームを識別するように構成される識別コンポーネントと、ここにおいて、前記復号コンポーネントはさらに、前記干渉基地局によって送信された制御チャネルを検出するために、前記少なくとも１つのサブフレームを復号するように構成され、前記復号することは、前記制御チャネル限定タイプに少なくとも部分的に合致する前記少なくとも１つのサブフレームを識別することを含む、
を備える、装置。
【請求項９】
前記制御チャネル限定条件はさらに、前記少なくとも１つのサブフレーム中の制御チャネル送信の数に対する限定を含む、請求項８に記載の装置。
【請求項１０】
前記制御チャネル限定条件はさらに、少なくとも１つのダウンリンク制御情報（ＤＣＩ）フォーマットのダウンリンクグラントの数および前記制御チャネルに関連するアグリゲーションレベルのうちの一方または両方に対する限定を含む、請求項８に記載の装置。
【請求項１１】
前記制御チャネル限定条件はさらに、前記制御チャネルに関連する検索空間に対する限定を含み、前記検索空間は、前記サービング基地局および前記干渉基地局によって決定されるオーバーラップしていない制御チャネル要素（ＣＣＥ）のセットを備える、請求項８に記載の装置。
【請求項１２】
干渉基地局において制御チャネル送信を限定する方法であって、
制御チャネル限定条件に従って、少なくとも１つのサブフレームについての制御チャネル送信を生成することと、ここにおいて、前記制御チャネル限定条件に関する限定情報は、少なくとも１つのユーザ装置（ＵＥ）に、サービング基地局によってブロードキャストされ、前記限定情報は、制御チャネル限定タイプを示し、前記制御チャネル送信を生成することはさらに、前記少なくとも１つのサブフレーム中の非連続的な制御チャネル要素（ＣＣＥ）への前記制御チャネルのスケジューリングを限定することを含み、前記非連続的なＣＣＥ内の未使用のＣＣＥによって形成されるギャップが、前記制御チャネルに関連するアグリゲーションレベルを示すように構成される、
前記干渉基地局によって、前記干渉基地局と関連する制御チャネルを検出するために前記少なくとも１つのサブフレームを復号するために、前記少なくとも１つのＵＥに前記制御チャネル送信を送信することと、前記復号することは、前記制御チャネル限定タイプに少なくとも部分的に合致する前記少なくとも１つのサブフレームを識別することを含む、
を備える、方法。
【請求項１３】
前記制御チャネル送信を生成することはさらに、前記少なくとも１つのサブフレーム中の制御チャネル送信の数を限定することを含む、請求項１２に記載の方法。
【請求項１４】
前記制御チャネル送信を生成することはさらに、前記制御チャネル送信において、少なくとも１つのダウンリンク制御情報（ＤＣＩ）フォーマットのダウンリンクグラントの数を限定することを含む、請求項１２に記載の方法。
【請求項１５】
前記制御チャネル送信を生成することはさらに、前記制御チャネル送信に関連するアグリゲーションレベルを限定することを含む、請求項１２に記載の方法。
【請求項１６】
前記制御チャネル送信を生成することはさらに、前記制御チャネル送信に関連する検索空間を限定することを含む、請求項１２に記載の方法。
【請求項１７】
前記検索空間を限定することは、アグリゲーションレベルに基づいて、前記干渉基地局に関連する各無線ネットワーク一時識別子（ＲＮＴＩ）に関して前記検索空間を限定することを含む、請求項１６に記載の方法。
【請求項１８】
前記検索空間を限定することは、オーバーラップしていない制御チャネル要素（ＣＣＥ）位置のセットに前記検索空間を限定するために、前記干渉基地局と協調することを含む、請求項１６に記載の方法。
【請求項１９】
前記制御チャネル限定条件は、１つ以上のユーザ装置による前記少なくとも１つのサブフレーム中の前記制御チャネル送信の前記復号を限定する、請求項１２に記載の方法。
【請求項２０】
前記制御チャネル送信は、物理ダウンリンク制御チャネル（ＰＤＣＣＨ）送信に対応する、請求項１２に記載の方法。
【請求項２１】
制御チャネル送信を限定するための装置であって、前記装置は干渉基地局に設けられ、
制御チャネル限定条件に従って、少なくとも１つのサブフレームについての制御チャネル送信を生成することと、ここにおいて、前記制御チャネル限定条件に関する限定情報は、少なくとも１つのユーザ装置（ＵＥ）に、サービング基地局によってブロードキャストされ、前記限定情報は、制御チャネル限定タイプを示し、前記制御チャネル限定条件は、前記少なくとも１つのサブフレーム中の非連続的な制御チャネル要素（ＣＣＥ）への前記制御チャネルのスケジューリングに対する限定を含み、前記非連続的なＣＣＥ内の未使用のＣＣＥによって形成されるギャップが、前記制御チャネルに関連するアグリゲーションレベルを示すように構成される、
前記干渉基地局によって、前記干渉基地局と関連する制御チャネルを検出するために前記少なくとも１つのサブフレームを復号するために、前記少なくとも１つのＵＥに前記制御チャネル送信を送信することと、前記復号することは、前記制御チャネル限定タイプに少なくとも部分的に合致する前記少なくとも１つのサブフレームを識別することを含む、
を行うように構成された制御チャネル限定コンポーネント
を備える、装置。
【請求項２２】
前記制御チャネル送信を生成するために、前記制御チャネル限定コンポーネントはさらに、前記少なくとも１つのサブフレーム中の制御チャネル送信の数を限定するように構成される、請求項２１に記載の装置。
【請求項２３】
前記制御チャネル送信を生成するために、前記制御チャネル限定コンポーネントはさらに、前記制御チャネル送信中の少なくとも１つのダウンリンク制御情報（ＤＣＩ）フォーマットのダウンリンクグラントの数および前記制御チャネル送信に関連するアグリゲーションレベルの一方または両方を限定するように構成される、請求項２１に記載の装置。
【請求項２４】
前記制御チャネル送信を生成するために、前記制御チャネル限定コンポーネントはさらに、オーバーラップしていない制御チャネル要素（ＣＣＥ）位置のセットに検索空間を限定するために、前記干渉基地局と少なくとも協調することによって、前記制御チャネル送信に関連する前記検索空間を限定するように構成される、請求項２１に記載の装置。
【発明の詳細な説明】
【優先権の主張】
【０００１】
[0001]  本特許出願は、「RESTRICTIONS ON CONTROL CHANNEL SCHEDULING」と題され、２０１４年７月３１日に出願された非仮出願第１４／４４８，１５７号、および「APPARATUSES AND METHODS OF RESTRICTIONS ON PDCCH SCHEDULING TO ENABLE PDCCH DECODING OF NEIGHBOR CELLS」と題され、２０１３年８月２０日に出願された仮出願第６１／８６７，９４３号に優先権を主張し、それらは本願の譲渡人に譲渡され、これにより、参照によってここに明確に組み込まれる。
【背景技術】
【０００２】
[0002]  本開示は、一般に通信システムに関し、より具体的には、隣接セルの復号を改善するための制御チャネルスケジューリングに対する限定(restriction)に関する。
【０００３】
[0003]  ワイヤレス通信システムは、電話通信、ビデオ、データ、メッセージング、およびブロードキャスト等の様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なるワイヤレスデバイスが、都市、国家、地域、さらには地球規模で通信することを可能にする共通プロトコルを提供するために、様々な電気通信規格において採用されてきた。新興の電気通信規格の例が、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）モバイル規格の拡張セットである。それは、スペクトル効率を改善すること、コストを下げること、サービスを向上させること、新たなスペクトラムを利用すること、および、ダウンリンク（ＤＬ）にＯＦＤＭＡを、アップリンク（ＵＬ）にＳＣ−ＦＤＭＡを使用し、多入力多出力（ＭＩＭＯ）アンテナ技術を使用して、より適切に他のオープンスタンダードに組み込むことによって、モバイルブロードバンドインターネットアクセスをより快適にサポートするように設計されている。しかしながら、モバイルブロードバンドアクセスに対する需要が増大し続けるにつれて、ＬＴＥ技術におけるさらなる改良の必要性が存在する。望ましくは、これらの改良は、これらの技術を用いる他の多重アクセス技術および電気通信規格に適用可能であるべきである。
【０００５】
[0005]  いくつかのワイヤレス通信ネットワークでは、利用可能な通信リソースの非効率なおよび／または効果的でない利用または使い過ぎが、特に制御チャネル復号に関し、ワイヤレス通信の効率低下（degradation）を引き起こし得る。さらには、前述の非効率なリソース利用または使い過ぎは、ユーザ装置および／またはワイヤレスデバイスがより高いワイヤレス通信品質を達成することを妨げる。したがって、制御チャネル復号における改善が望まれる。
【発明の概要】
【０００６】
[0006]  以下は、１つ以上の態様の基本的な理解を提供するために、そのような態様の簡略化された概要を示す。この概要は、企図される全ての態様の広範な概観ではなく、また、全ての態様の主要または重要な要素を特定することも、任意または全ての態様の範囲を明確に描写（delineate）することも意図していない。その唯一の目的は、後に提示されるより詳細な説明への序文として、簡略化された形で１つ以上の態様のいくつかの概念を提示することである。
【０００７】
[0007]  ワイヤレスネットワークにおける非サービングセルからの干渉に関連する干渉抑制（interference suppression）およびブラインド復号を改善すること、具体的には、非サービングセル制御チャネルに対して干渉抑制を実行すること、のための方法および装置が開示される。様々な態様は、協調（coordination）、通信、通信限定条件の使用を通して、ＵＥにおいて非サービングセル信号のネットワーク支援によるブラインド復号（network-assisted blind-decoding）を用いる。ネットワーク態様は、ｅＮＢとサービスされているＵＥ（served UE）との間のある特定の通信を限定し、その限定をサービスされていないＵＥ（non-served UE）に通信し得る。サービスされていないＵＥは次いで、干渉ｅＮＢ信号（interfering eNB signals）のより効率的なブラインド復号および干渉ｅＮＢ信号の干渉除去のために、その限定を活用（leverage）することができる。
【０００８】
[0008]  ある態様では、通信システムで制御チャネルを復号する方法は、制御チャネル限定条件を決定することを含む。この方法はさらに、受信された信号において、制御チャネル限定条件に合致する（conforming to）少なくとも１つのサブフレームを識別することを含む。加えて、この方法は、制御チャネル限定条件に基づいて、少なくとも１つのサブフレーム中のネットワークエンティティに関連する制御チャネルを復号することを含み、ここで、ネットワークエンティティに関連する制御チャネルは、制御チャネル限定条件に合致する。
【０００９】
[0009]  別の態様では、制御チャネルを復号するための装置は、制御チャネル限定条件を決定するように構成される復号コンポーネントを含む。この装置はさらに、受信された信号において、制御チャネル限定条件に合致する少なくとも１つのサブフレームを識別するように構成される識別コンポーネントを含む。加えて、この復号コンポーネントはさらに、制御チャネル限定条件に基づいて、少なくとも１つのサブフレーム中のネットワークエンティティに関連する制御チャネルを復号するように構成され、ここで、ネットワークエンティティに関連する制御チャネルは、制御チャネル限定条件に合致する。
【００１０】
[0010]  追加的な態様において、ネットワークエンティティにおいて制御チャネル送信を限定する方法は、制御チャネル限定条件に従って、少なくとも１つのサブフレームについての制御チャネル送信を生成することを適用することを含み、ここで、制御チャネル限定条件は、少なくとも１つのサブフレーム中の制御チャネル送信の配列（arrangement）を限定する。この方法はさらに、制御チャネル送信を送信することを含む。
【００１１】
[0011]  さらなる態様において、制御チャネル送信を限定するための装置は、制御チャネル限定条件に従って、少なくとも１つのサブフレームについての制御チャネル送信を生成するように構成される制御チャネル限定コンポーネントを含み、ここで、制御チャネル限定条件は、少なくとも１つのサブフレーム中の制御チャネル送信の配列を限定する。制御チャネル限定コンポーネントはさらに、制御チャネル送信を送信するように構成される。
【００１２】
[0012]  前述した目的および関連する目的を達成するために、１つ以上の態様は、以下に十分に説明され、かつ特許請求の範囲において具体的に示される特徴を備える。以下の説明および添付図面は、１つ以上の態様のある特定の例示的な特徴を詳細に記載する。しかしながら、これらの特徴は、様々な態様の複数の原理が用いられ得る様々な方法のうちのほんのいくつかを示し、本説明は、全てのこのような態様およびそれらの同等物を含むように意図されている。
【図面の簡単な説明】
【００１３】
[0013]  本開示の特徴、特性、および利点は、同様の参照文字が全体にわたって同一物であるとの対応を示している図面と共に考慮された場合、以下に記載する詳細な説明からより明らかになるであろう。
【図１】[0014]  図１は、本開示の態様に従って、ネットワークアーキテクチャの例を例示する図である。
【図２】[0015]  図２は、本開示の態様に従って、アクセスネットワークの例を例示する図である。
【図３】[0016]  図３は、本開示の態様に従って、ＬＴＥにおけるＤＬフレーム構造の例を例示する図である。
【図４】[0017]  図４は、本開示の態様に従って、ＬＴＥにおけるＵＬフレーム構造の例を例示する図である。
【図５】[0018]  図５は、本開示の態様に従って、ユーザプレーンおよび制御プレーンのための無線プロトコルアーキテクチャの例を例示する図である。
【図６】[0019]  図６は、本開示の態様に従って、アクセスネットワークにおける発展型ノードＢおよびユーザ装置の例を例示する図である。
【図７】[0020]  図７は、ネットワークエンティティにおける制御チャネル限定コンポーネントおよびユーザ装置における復号コンポーネントの態様を含むワイヤレス通信システムの概略図である。
【図８】[0021]  図８は、本開示の態様に従って、制御チャネルを復号する方法のフローチャートである。
【図９】[0022]  図９は、本開示の態様に従って、例示的な装置における異なるモジュール／手段／コンポーネント間のデータフローを例示する概念的データフロー図である。
【図１０】[0023]  図１０は、本開示の態様に従って、処理システムを用いる装置のためのハードウェア実装の例を例示する図である。
【図１１】[0024]  図１１は、本開示の別の態様に従って、例示的な装置における異なるモジュール／手段／コンポーネント間のデータフローを例示する概念的データフロー図である。
【図１２】[0025]  図１２は、本開示の態様に従って、処理システムを用いる装置のためのハードウェア実装の例を例示する図である。
【図１３】[0026]  図１３は、本開示の別の態様に従って、処理システムを用いる装置のためのハードウェア実装の例を例示する図である。
【詳細な説明】
【００１４】
[0027]  添付図面に関連して以下に記載される詳細な説明は、様々な構成の説明として意図されており、ここに説明される概念が実施され得る唯一の構成を表すようには意図されていない。詳細な説明は、様々な概念の徹底的な理解を提供することを目的として特定の詳細を含む。しかしながら、これらの概念がこれらの特定の詳細なしに実施され得ることは、当業者に明らかであるだろう。いくつかの例では、そのような概念をあいまいにすることを避けるために、周知のコンポーネントはブロック図の形態で示される。ある態様では、ここで使用される用語「コンポーネント」は、システムを構成するパーツのうちの１つであり得、またハードウェアまたはソフトウェアであり得、そして他のコンポーネントへ分割され得る。
【００１５】
[0028]  電気通信システムのいくつかの態様が、これから様々な装置および方法に関連して提示される。これらの装置および方法は、続く詳細な説明の中で説明され、（「要素」と総称される）様々なブロック、モジュール、コンポーネント、回路、ステップ、プロセス、アルゴリズム等によって、添付図面に例示される。これらの要素は、電子ハードウェア、コンピュータソフトウェア、またはこれらの任意の組み合わせを使用して実現され得る。このような要素が、ハードウェアとして実現されるかソフトウェアとして実現されるかは、特定の用途およびシステム全体に課せられる設計制約に依存する。
【００１６】
[0029]  例として、要素、またはある要素の任意の部分、または複数の要素の任意の組み合わせは、１つ以上のプロセッサを含む「処理システム」を用いて実現され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示全体にわたって説明される様々な機能を実行するように構成された他の好適なハードウェアがある。処理システムにおける１つ以上のプロセッサは、ソフトウェアを実行し得る。ソフトウェアは、ソフトウェア、ファームウェア、ミドルウェア、マイクロコード、ハードウェア記述言語等の名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数等を意味すると広く解釈されるべきである。
【００１７】
[0030]  したがって、１つ以上の例では、説明される機能は、ハードウェア、ソフトウェア、ファームウェア、またはそれらの任意の組み合わせで実現され得る。ソフトウェアで実現される場合、これら機能は、コンピュータ読み取り可能な媒体上で、１つ以上の命令またはコードとして記憶または符号化され得る。コンピュータ読み取り可能な媒体は、コンピュータ記憶媒体を含む。記憶媒体は、コンピュータによってアクセスされることができる任意の利用可能な媒体であり得る。これに限るわけではないが例として、そのようなコンピュータ読み取り可能な媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、命令またはデータ構造の形態で所望のプログラムコードを搬送または記憶するために使用されることができ、コンピュータによってアクセスされることができる、任意の他の媒体を備えることができる。ここで使用される場合、ディスク（ｄｉｓｋ）およびディスク（ｄｉｓｃ）は、コンパクトディスク（ＣＤ）、レーザーディスク（登録商標）、光ディスク、デジタル多目的ディスク（ＤＶＤ）、フロッピー（登録商標）ディスクを含み、ここで、ディスク（ｄｉｓｋ）は、通常磁気的にデータを再生し、一方ディスク（ｄｉｓｃ）は、レーザーを用いて光学的にデータを再生する。上記の組み合わせもまた、コンピュータ読み取り可能な媒体の範囲内に含まれるべきである。
【００１８】
[0031]  本態様は、一般に、ネットワークエンティティ（例えば、ｅＮＢ）による制御チャネルスケジューリングに対する限定、およびユーザ装置（ＵＥ）による復号に関する。具体的には、いくつかのワイヤレス通信システムにおいて、ＵＥはそれの制御チャネルを知らない（unaware of）可能性があり、その結果、大部分のまたは多数の制御チャネルを復号し得る。いくつかの態様では、例えば、制御チャネルは、物理ダウンリンク制御チャネル（ＰＤＣＣＨ）であり得る。具体的には、例えば、ＵＥは、サブフレームの制御領域内のいくつかの領域を知らされ得、そしてそれの対応するＰＤＣＣＨの位置（location）を提供されない可能性がある。ＵＥは、全てのサブフレーム中のＰＤＣＣＨ候補のセットをモニタリングすることによって、それのＰＤＣＣＨを位置付け得る（locate）。そのような復号は、ブラインド復号（blind decoding）と呼ばれ得る。
【００１９】
[0032]  しかしながら、ＰＤＣＣＨのブラインド復号は、無線ネットワーク一時識別子（radio network temporary identifier）がＵＥに知られていない可能性があるので、非効率であり得る。加えて、ＵＥ固有のＰＤＣＣＨを位置付けるために大部分（例えば、ほとんど全ての制御チャネル要素（ＣＣＥ））を復号することは、ワイヤレス通信品質の効率低下をもたらし得る。例えば、システム帯域幅が大きい場合には、多数の可能性のあるＰＤＣＣＨ位置を有するので、ブラインド検索は著しい負担であり得、ＵＥでの著しい電力消費につながる。さらに、前述のブラインド復号は、誤警報確率（false alarm probability）および誤検出確率の増加をもたらし得る。
【００２０】
[0033]  ある態様では、誤警報確率は、入力がただのノイズである時のデータパケットのプリアンブルの誤った検出（例えば、任意の検出器からの誤った検出）の条件付き全確率（conditional total probability）であり得る。別の態様では、誤検出確率は、実際には一次システムがそのチャネルを占有している時に、二次ワイヤレスシステムが一次信号は所与のチャネルに存在しないと決定する確率であり得る。したがって、誤警報確率または誤検出確率の何れかの増加は、ＵＥとネットワークエンティティとの両方で、ワイヤレス通信品質の効率低下を引き起こし得る。
【００２１】
[0034]  したがって、本態様は、ワイヤレス通信ネットワーク中の複数のセルからの干渉に関連する干渉抑制およびブラインド復号を改善し得、具体的には、そのセルの物理ダウンリンク共有チャネル（ＰＤＳＣＨ）での干渉抑制を実行する。本開示の複数の態様は、協調、通信、および通信限定条件の使用を通じた、ＵＥにおける（例えば、ＰＤＣＣＨ等の）セル信号のネットワーク支援によるブラインド復号に関する。複数のネットワーク態様は、ｅＮＢとサービスされているＵＥとの間のある特定の通信を限定し、その限定をサービスされていないＵＥへ通信し得る。サービスされていないＵＥはすると、干渉ｅＮＢ信号の干渉抑制（例えば、干渉除去）および干渉ｅＮＢ信号のより効率的なブラインド復号のために、その限定を活用することができる。
【００２２】
[0035]  図１は、ＬＴＥネットワークアーキテクチャを例示する図である。ＬＴＥネットワークアーキテクチャは、発展型パケットシステム（ＥＰＳ：Evolved Packet System）１００と称され得る。ＥＰＳ１００は、１つ以上のユーザ装置（ＵＥ）１０２を含み得、それはここに説明される復号コンポーネント７２０を含み得、また、発展型ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、およびオペレータのＩＰサービス１２２を含み得る。ＥＰＳは、他のアクセスネットワークと相互接続することができるが、簡潔さのために、それらのエンティティ／インタフェースは示されていない。示されているように、ＥＰＳは、パケット交換サービスを提供するが、当業者が容易に理解することになるように、本開示の全体にわたって提示される様々な概念は、回線交換サービスを提供するネットワークに拡張され得る。
【００２３】
[0036]  Ｅ−ＵＴＲＡＮ１０４は、発展型ノードＢ（ｅＮＢ）１０６および他のｅＮＢ１０８を含み、それらの一方または両方は、ここに説明されるように、制御チャネル限定コンポーネント７４０を含み得る。ｅＮＢ１０６は、ＵＥ１０２に向けてユーザおよび制御プレーンプロトコル終端を提供する。ｅＮＢ１０６は、バックホール（例えば、Ｘ２インタフェース）を介して、他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語でも呼ばれ得る。ｅＮＢ１０６は、ＵＥ１０２にＥＰＣ１１０へのアクセスポイントを提供する。ＵＥ１０２の例は、セルラ電話、スマートフォン、セッション開始プロトコル（ＳＩＰ）電話、ラップトップ、携帯情報端末（ＰＤＡ）、衛星無線機（satellite radio）、全地球測位システム、マルチメディアデバイス、ビデオデバイス、デジタルオーディオプレーヤ（例えば、ＭＰ３プレーヤ）、カメラ、ゲーム機、または任意の他の同様に機能するデバイスを含む。ＵＥ１０２はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語でも呼ばれ得る。
【００２４】
[0037]  ｅＮＢ１０６は、Ｓ１インタフェースによってＥＰＣ１１０に接続される。ＥＰＣ１１０は、モビリティ管理エンティティ（ＭＭＥ）１１２、他のＭＭＥ１１４、サービングゲートウェイ１１６、パケットデータネットワーク（ＰＤＮ）ゲートウェイ１１８を含む。ＭＭＥ１１２は、ＵＥ１０２とＥＰＣ１１０との間のシグナリングを処理する制御ノードである。一般に、ＭＭＥ１１２は、ベアラおよび接続管理を提供する。全てのユーザＩＰパケットは、それ自体がＰＤＮゲートウェイ１１８に接続されたサービングゲートウェイ１１６を通じて転送される。ＰＤＮゲートウェイ１１８は、ＵＥ  ＩＰアドレス割り振り、並びに他の機能を提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）を含み得る。
【００２５】
[0038]  図２は、１つ以上のＵＥ２０６がそれぞれ復号コンポーネント７２０を含み得、ｅＮＢ２０８の各々が制御チャネル限定コンポーネント７４０を含み得、それらの両方がここに説明される、ＬＴＥネットワークアーキテクチャにおけるアクセスネットワーク２００の例を例示する図である。この例では、アクセスネットワーク２００は、いくつかのセルラ領域（セル）２０２に分割されている。１つ以上の、より低い電力クラスのｅＮＢ２０８は、セル２０２のうちの１つ以上とオーバーラップするセルラ領域２１０を有し得る。より低い電力クラスのｅＮＢ２０８は、フェムトセル（例えば、ホームｅＮＢ（ＨｅＮＢ））、ピコセル、マイクロセル、または遠隔無線ヘッド（ＲＲＨ）であり得る。マクロｅＮＢ２０４が各々、それぞれのセル２０２に割り当てられ、複数のセル２０２中の全てのＵＥ２０６に対してＥＰＣ１１０へのアクセスポイントを提供するよう構成される。アクセスネットワーク２００のこの例には集中型（centralized）コントローラは存在しないが、代替の構成では、集中型コントローラが使用され得る。ｅＮＢ２０４は、無線ベアラ制御、アドミッション制御、モビリティ制御、スケジューリング、セキュリティ、およびサービングゲートウェイ１１６への接続性を含む、全ての無線に関連する機能（radio related function）を担う。
【００２６】
[0039]  アクセスネットワーク２００によって用いられる変調および多元接続スキームは、展開されている特定の電気通信規格に応じて異なり得る。ＬＴＥアプリケーションでは、ＯＦＤＭがＤＬで使用され、ＳＣ−ＦＤＭＡがＵＬで使用されて、周波数分割複信（ＦＤＤ）および時分割複信（ＴＤＤ）の両方をサポートする。以下に続く詳細な説明から当業者が容易に理解するように、ここに提示される様々な概念は、ＬＴＥアプリケーションによく適している。しかしながら、これらの概念は、他の変調および多元接続技法を用いる他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリの一部として、３世代パートナーシッププロジェクト２（３ＧＰＰ２）によって公表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））およびＴＤ−ＳＣＤＭＡのようなＣＤＭＡの他の変形例を用いるユニバーサル地上無線アクセス（ＵＴＲＡ）、ＴＤＭＡを用いるモバイル通信のためのグローバルシステム（ＧＳＭ（登録商標））、およびＯＦＤＭＡを用いるフラッシュＯＦＤＭ、ＩＥＥＥ８０２．２０、ＩＥＥＥ８０２．１６（ＷｉＭＡＸ）、ＩＥＥＥ８０２．１１（Ｗｉ−Ｆｉ）、および発展型ＵＴＲＡ（Ｅ−ＵＴＲＡ）に拡張され得る。ＵＴＲＡ、Ｅ−ＵＴＲＡ、ＵＭＴＳ、ＬＴＥ、およびＧＳＭは、３ＧＰＰ団体からの文書に説明されている。ＣＤＭＡ２０００およびＵＭＢは、３ＧＰＰ２団体からの文書に説明されている。用いられる実際のワイヤレス通信規格および多元接続技術は、特定の用途およびシステムに課せられる全体的な設計制約に依存することになる。
【００２７】
[0040]  ｅＮＢ２０４は、ＭＩＭＯ技術をサポートする複数のアンテナを有し得る。ＭＩＭＯ技術の使用は、ｅＮＢ２０４が、空間多重化、ビームフォーミング、および送信ダイバーシティをサポートするために空間領域を活用することを可能にする。空間多重化は、異なるデータストリームを同一の周波数で同時に送信するために使用され得る。データストリームは、データレートを増加させるために単一のＵＥ２０６に、または、全体的なシステム容量を増加させるために複数のＵＥ２０６に、送信され得る。これは、各データストリームを空間的にプリコーディングし（すなわち、振幅および位相のスケーリングを適用し）、その後、ＤＬ上で複数の送信アンテナを通して各空間的にプリコーディングされたストリームを送信することによって達成される。空間的にプリコーディングされたデータストリームは、異なる空間シグネチャと共にＵＥ２０６（１つ以上の）へと到達し、これにより、ＵＥ２０６（１つ以上の）の各々がそのＵＥ２０６を宛先とする１つ以上のデータストリームを復元（recover）することが可能になる。ＵＬにおいて、各ＵＥ２０６は、空間的にプリコーディングされたデータストリームを送信し、これにより、ｅＮＢ２０４が各空間的にプリコーディングされたデータストリームのソースを識別することが可能になる。
【００２８】
[0041]  空間多重化は、一般にチャネル状態が良好な場合に使用される。チャネル状態が良好とは言えない時には、１つ以上の方向に送信エネルギーを集中させるためにビームフォーミングが使用され得る。これは、複数のアンテナを通じた送信のためにデータを空間的にプリコーディングすることによって達成され得る。セルのエッジにおいて優れたカバレッジを達成するために、シングルストリームビームフォーミング送信が、送信ダイバーシティと組み合わせて使用され得る。
【００２９】
[0042]  以下の詳細な説明では、アクセスネットワークの様々な態様が、ＤＬ上でＯＦＤＭをサポートするＭＩＭＯシステムに関連して説明される。ＯＦＤＭは、ＯＦＤＭシンボル内のいくつかのサブキャリアにわたってデータを変調するスペクトル拡散技法である。これらサブキャリアは、正確な周波数離れて一定の間隔で配置される。この間隔を空けること（spacing）は、受信機がこれらサブキャリアからのデータを復元することを可能にする「直交性」を提供する。時間領域では、ＯＦＤＭシンボル間干渉に対抗するために、各ＯＦＤＭシンボルにガードインターバル（例えば、サイクリックプリフィックス）が追加され得る。ＵＬは、高いピーク対平均電力比（ＰＡＰＲ）を補償する（compensate for）ために、ＤＦＴ拡散ＯＦＤＭ信号（DFT-spread OFDM signal）の形態でＳＣ−ＦＤＭＡを使用し得る。
【００３０】
[0043]  図３は、ＬＴＥにおけるＤＬフレーム構造の例を例示する図３００であり、それは、ここに説明されるような、第１のネットワークエンティティ７０４および／または第２のネットワークエンティティ７０６、なおそれらの一方または両方が制御チャネル限定コンポーネント７４０を含み得る、のようなネットワークエンティティ（例えば、ｅＮＢ）、並びに、復号コンポーネント７２０を含むＵＥ７０２等のＵＥによって利用され得る。フレーム（１０ｍｓ）は、１０個の等しいサイズのサブフレームに分割され得る。各サブフレームは、２つの連続するタイムスロットを含み得る。１つのリソースグリッドが２つのタイムスロットを表すために使用され得、各タイムスロットは、１つのリソースブロックを含む。リソースグリッドは、複数のリソース要素に分割される。ＬＴＥでは、１つのリソースブロックは、周波数領域に１２個の連続するサブキャリア、そして、各ＯＦＤＭシンボルにおける１つのノーマルなサイクリックプリフィクスについては、時間領域に７個の連続するＯＦＤＭシンボルを含み、すなわち８４個のリソース要素を含む。拡張されたサイクリックプリフィックスの場合、リソースブロックは、時間領域における６個の連続したＯＦＤＭシンボルを含み、合計で７２個のリソース要素をもたらす。Ｒ３０２、３０４として示される、リソース要素のうちのいくつかは、ＤＬ基準信号（ＤＬ−ＲＳ）を含む。ＤＬ−ＲＳは、（共通ＲＳと呼ばれることもある）セル固有ＲＳ（ＣＲＳ）３０２およびＵＥ固有ＲＳ（ＵＥ−ＲＳ）３０４を含む。ＵＥ−ＲＳ３０４は、対応する物理ＤＬ共有チャネル（ＰＤＳＣＨ）がマッピングされるリソースブロック上でのみ送信される。各リソース要素によって搬送されるビット数は、変調スキームに依存する。したがって、ＵＥが受信するリソースブロックが多いほど、および、変調スキームが高いほど、ＵＥのためのデータレートはより高くなる。
【００３１】
[0044]  図４は、ＬＴＥにおけるＤＬフレーム構造の例を例示する図４００であり、それは、ここに説明されるような、第１のネットワークエンティティ７０４および／または第２のネットワークエンティティ７０６、なおそれらの一方または両方が制御チャネル限定コンポーネント７４０を含み得る、のようなネットワークエンティティ（例えば、ｅＮＢ）、並びに、復号コンポーネント７２０を含むＵＥ７０２等のＵＥによって利用され得る。ＵＬのために利用可能なリソースブロックは、データセクションと制御セクションとに区分され得る。制御セクションは、システム帯域幅の２つのエッジに形成され得、設定可能なサイズを有し得る。制御セクションにおけるリソースブロックは、制御情報の送信のためにＵＥに割り当てられ得る。データセクションは、制御セクションに含まれない全てのリソースブロックを含み得る。このＵＬフレーム構造は、連続したサブキャリアを含むデータセクションをもたらし、それは単一のＵＥがデータセクションにおける連続したサブキャリアの全てを割り当てられることを可能にし得る。
【００３２】
[0045]  ＵＥは、ｅＮＢに制御情報を送信するために、制御セクションにおけるリソースブロック４１０ａ、４１０ｂを割り当てられ得る。ＵＥはまた、ｅＮＢにデータを送信するために、データセクションにおけるリソースブロック４２０ａ、４２０ｂを割り当てられ得る。ＵＥは、制御セクション中の割り当てられたリソースブロック上の物理ＵＬ制御チャネル（ＰＵＣＣＨ）において制御情報を送信し得る。ＵＥは、データセクション中の割り当てられたリソースブロック上の物理ＵＬ共有チャネル（ＰＵＳＣＨ）において、データのみ、または、データと制御情報の両方を送信し得る。ＵＬ送信は、サブフレームの両方のスロットにまたがり得（span）、周波数にわたってホッピングし得る。
【００３３】
[0046]  リソースブロックのあるセットが、最初のシステムアクセスを実行し、物理ランダムアクセスチャネル（ＰＲＡＣＨ）４３０においてＵＬ同期を達成するために、使用され得る。ＰＲＡＣＨ４３０は、ランダムシーケンスを搬送するが、何れのＵＬデータ／シグナリングも搬送することはできない。各ランダムアクセスプリアンブルは、６個の連続するリソースブロックに対応する帯域幅を占有する。開始周波数（starting frequency）は、ネットワークによって規定される。すなわち、ランダムアクセスプリアンブルの送信は、ある特定の時間および周波数リソースに限定される。ＰＲＡＣＨについては周波数ホッピングは存在しない。ＰＲＡＣＨ試行（PRACH attempt）は、単一のサブフレーム（１ｍｓ）において、または少数の連続したサブフレームのシーケンスにおいて搬送され、ＵＥは、１フレーム（１０ｍｓ）ごとに単一のＰＲＡＣＨ試行だけを行うことができる。
【００３４】
[0047]  図５は、ＬＴＥにおけるユーザおよび制御プレーンのための無線プロトコルアーキテクチャの例を例示する図５００である。この無線プロトコルアーキテクチャは、ここに説明されるような、第１のネットワークエンティティ７０４および／または第２のネットワークエンティティ７０６、なおそれらの一方または両方が制御チャネル限定コンポーネント７４０を含み得る、のようなネットワークエンティティ（例えば、ｅＮＢ）、並びに、復号コンポーネント７２０を含むＵＥ７０２等のＵＥによって利用され得る。ＵＥおよびｅＮＢのための無線プロトコルアーキテクチャは、レイヤ１、レイヤ２、およびレイヤ３の３つのレイヤで示される。レイヤ１（Ｌ１レイヤ）は、最下位のレイヤであり、様々な物理レイヤ信号処理機能を実現する。Ｌ１レイヤは、ここで物理レイヤ５０６と呼ばれることになる。レイヤ２（Ｌ２レイヤ）５０８は、物理レイヤ５０６より上位にあり、物理レイヤ５０６を介したＵＥとｅＮＢとの間のリンクを担う。
【００３５】
[0048]  ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、これらは、ネットワーク側のｅＮＢにおいて終端される。示されていないが、ＵＥは、ネットワーク側のＰＤＮゲートウェイ１１８において終端されるネットワークレイヤ（例えば、ＩＰレイヤ）と、接続の他端（例えば、遠端のＵＥ、サーバ等）において終端されるアプリケーションレイヤとを含む、Ｌ２レイヤ５０８より上位のいくつかの上位レイヤを有し得る。
【００３６】
[0049]  ＰＤＣＰサブレイヤ５１４は、異なる無線ベアラと論理チャネルとの間の多重化を提供する。ＰＤＣＰサブレイヤ５１４はまた、無線送信オーバヘッドを低減するための上位レイヤデータパケットのためのヘッダ圧縮、データパケットを暗号化することによるセキュリティ、およびｅＮＢ間でのＵＥに対するハンドオーバサポートを提供する。ＲＬＣサブレイヤ５１２は、上位レイヤデータパケットのセグメンテーションおよび再組立て（reassembly）と、損失データパケットの再送信と、ハイブリッド自動再送要求（ＨＡＲＱ：hybrid automatic repeat request）による、順序の狂った受信を補償するデータパケットの並べ替えとを提供する。ＭＡＣサブレイヤ５１０は、論理チャネルとトランスポートチャネルの間の多重化を提供する。ＭＡＣサブレイヤ５１０はまた、複数のＵＥの間で１つのセルにおける様々な無線リソース（例えば、リソースブロック）を割り振ることを担う。ＭＡＣサブレイヤ５１０はまた、ＨＡＲＱ動作を担う。
【００３７】
[0050]  制御プレーンでは、ｅＮＢおよびＵＥのための無線プロトコルアーキテクチャは、制御プレーンについてはヘッダ圧縮機能がないことを除いて、物理レイヤ５０６およびＬ２レイヤ５０８については実質的に同じである。制御プレーンはまた、レイヤ３（Ｌ３レイヤ）に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間でＲＲＣシグナリングを使用して下位レイヤを構成することとを担う。
【００３８】
[0051]  図６は、アクセスネットワークにおいてＵＥ６５０と通信しているｅＮＢ６１０のブロック図である。ｅＮＢ６１０は、ここに説明されるように、制御チャネル限定コンポーネント７４０を含み得る。加えて、ＵＥ６５０は、ここに説明されるように、復号コンポーネント７２０を含み得る。ＤＬでは、コアネットワークからの上位レイヤパケットが、コントローラ／プロセッサ６７５に提供される。コントローラ／プロセッサ６７５は、Ｌ２レイヤの機能性を実現する。ＤＬでは、コントローラ／プロセッサ６７５は、様々な優先順位メトリック（priority metrics）に基づいて、ＵＥ６５０への無線リソースの割り振り、論理チャネルとトランスポートチャネルの間の多重化、パケットのセグメンテーションおよび並べ替え、暗号化、およびヘッダ圧縮を提供する。コントローラ／プロセッサ６７５はまた、ＨＡＲＱ動作、損失パケットの再送信、およびＵＥ６５０へのシグナリングを担う。
【００３９】
[0052]  送信（ＴＸ）プロセッサ６１６は、Ｌ１レイヤ（すなわち、物理レイヤ）に関する様々な信号処理機能を実現する。信号処理機能は、ＵＥ６５０における前方誤り訂正（ＦＥＣ：forward error correction）を容易にするためにコーディングおよびインタリーブすることと、様々な変調スキーム（例えば、２相位相シフトキーイング（ＢＰＳＫ：binary phase-shift keying）、４相位相シフトキーイング（ＱＰＳＫ：quadrature phase-shift keying）、Ｍ相位相シフトキーイング（Ｍ−ＰＳＫ：M-phase-shift keying）、Ｍ値直交振幅変調（Ｍ−ＱＡＭ：M-quadrature amplitude modulation））に基づいて信号コンステレーション（signal constellation）へマッピングすることとを含む。その後、符号化および変調されたシンボルは、並列ストリーム（parallel stream）に分けられる。その後、各ストリームは、ＯＦＤＭサブキャリアにマッピングされ、時間および／または周波数領域において基準信号（例えば、パイロット）と多重化され、その後、逆高速フーリエ変換（ＩＦＦＴ：Inverse Fast Fourier Transform）を使用して組み合わされ、時間領域ＯＦＤＭシンボルストリームを搬送する物理チャネルを作り出す。ＯＦＤＭストリームは、複数の空間ストリームを生成するために空間的にプリコーディングされる。チャネル推定器６７４からのチャネル推定値は、符号化および変調スキームを決定するため、ならびに空間処理のために使用され得る。チャネル推定値は、ＵＥ６５０によって送信されたチャネル状態フィードバックおよび／または基準信号から導出され得る。そして、各空間ストリームは、別個の送信機６１８ＴＸを介して異なるアンテナ６２０に提供される。各送信機６１８ＴＸは、送信のためにそれぞれの空間ストリームでＲＦキャリアを変調する。
【００４０】
[0053]  ＵＥ６５０において、各受信機６５４ＲＸは、そのそれぞれのアンテナ６５２を通じて信号を受信する。各受信機６５４ＲＸは、ＲＦキャリア上に変調された情報を復元し、受信（ＲＸ）プロセッサ６５６にこの情報を提供する。ＲＸプロセッサ６５６は、Ｌ１レイヤの様々な信号処理機能を実現する。ＲＸプロセッサ６５６は、ＵＥ６５０を宛先とした任意の空間ストリームを復元するために、その情報に対し空間処理を実行する。複数の空間ストリームがＵＥ６５０を宛先とする場合、それらは、ＲＸプロセッサ６５６によって単一のＯＦＤＭシンボルストリームに組み合わされ得る。その後、ＲＸプロセッサ６５６は、高速フーリエ変換（ＦＦＴ）を使用して、ＯＦＤＭシンボルストリームを時間領域から周波数領域に変換する。周波数領域信号は、ＯＦＤＭ信号の各サブキャリアについて別個のＯＦＤＭシンボルストリームを備える。各サブキャリア上のシンボル、および基準信号は、ｅＮＢ６１０によって送信された最も可能性の高い（most likely）信号コンステレーションポイントを決定することによって復元および復調される。これらの軟判定（soft decision）は、チャネル推定器６５８によって計算されるチャネル推定値に基づき得る。その後、軟判定は、物理チャネル上でｅＮＢ６１０によって本来送信された制御信号およびデータを復元するために、復号およびデインタリーブされる。その後、データおよび制御信号は、コントローラ／プロセッサ６５９に提供される。
【００４１】
[0054]  コントローラ／プロセッサ６５９は、Ｌ２レイヤを実現する。コントローラ／プロセッサは、プログラムコードおよびデータを記憶するメモリ６６０に関連付けられることができる。メモリ６６０は、コンピュータ読み取り可能な媒体と呼ばれ得る。ＵＬでは、コントローラ／プロセッサ６５９は、コアネットワークからの上位レイヤパケットを復元するために、トランスポートチャネルと論理チャネルの間の逆多重化、パケットの再組立て（packet reassembly）、暗号解読（deciphering）、ヘッダ復元（header decompression）、制御信号処理を提供する。その後、上位レイヤパケットはデータシンク６６２に提供され、それはＬ２レイヤより上位の全てのプロトコルレイヤを表す。様々な制御信号もまた、Ｌ３処理のためにデータシンク６６２に提供され得る。コントローラ／プロセッサ６５９はまた、ＨＡＲＱ動作をサポートするために、肯定応答（ＡＣＫ）および／または否定応答（ＮＡＣＫ）プロトコルを使用した誤り検出を担う。
【００４２】
[0055]  ＵＬでは、データソース６６７は、コントローラ／プロセッサ６５９に上位レイヤパケットを提供するために使用される。データソース６６７は、Ｌ２レイヤより上位の全てのプロトコルレイヤを表す。ｅＮＢ６１０によるＤＬ送信に関して説明された機能性と同様に、コントローラ／プロセッサ６５９は、ｅＮＢ６１０による無線リソース割り振りに基づいて、論理チャネルとトランスポートチャネルの間の多重化、パケットのセグメンテーションおよび並べ替え、暗号化、およびヘッダ圧縮を提供することによって、ユーザプレーンおよび制御プレーンのためのＬ２レイヤを実現する。コントローラ／プロセッサ６５９はまた、ＨＡＲＱ動作、損失パケットの再送信、ｅＮＢ６１０へのシグナリングを担う。
【００４３】
[0056]  ｅＮＢ６１０によって送信されたフィードバックまたは基準信号からチャネル推定器６５８によって導出されたチャネル推定値は、適切な符号化および変調スキームを選択し、空間処理を容易にするために、ＴＸプロセッサ６６８によって使用され得る。ＴＸプロセッサ６６８によって生成された空間ストリームは、別個の送信機６５４ＴＸを介して異なるアンテナ６５２に提供される。各送信機６５４ＴＸは、送信のためにそれぞれの空間ストリームでＲＦキャリアを変調する。
【００４４】
[0057]  ＵＬ送信は、ＵＥ６５０における受信機機能に関して説明されたのと同様の方法でｅＮＢ６１０において処理される。各受信機６１８ＲＸは、それのそれぞれのアンテナ６２０を通じて信号を受信する。各受信機６１８ＲＸは、ＲＦキャリア上に変調された情報を復元し、ＲＸプロセッサ６７０にその情報を提供する。ＲＸプロセッサ６７０は、Ｌ１レイヤを実現し得る。
【００４５】
[0058]  コントローラ／プロセッサ６７５は、Ｌ２レイヤを実現する。コントローラ／プロセッサ６７５は、プログラムコードおよびデータを記憶するメモリ６７６に関連付けられることができる。メモリ６７６は、コンピュータ読み取り可能な媒体と呼ばれ得る。ＵＬでは、コントローラ／プロセッサ６７５は、ＵＥ６５０からの上位レイヤパケットを復元するために、トランスポートチャネルと論理チャネルの間の逆多重化、パケットの再組立て、暗号解読、ヘッダ復元、制御信号処理を提供する。コントローラ／プロセッサ６７５からの上位レイヤパケットは、コアネットワークに提供され得る。コントローラ／プロセッサ６７５はまた、ＨＡＲＱ動作をサポートするために、ＡＣＫおよび／またはＮＡＣＫプロトコルを使用して誤り検出を担う。
【００４６】
[0059]  図７を参照して、ある態様では、ワイヤレス通信システム７００は、少なくとも第１のネットワークエンティティ７０４および第２のネットワークエンティティ７０６の通信カバレッジにおける（in communication coverage of）少なくとも１つのＵＥ７０２を含む。ＵＥ７０２は、第１のネットワークエンティティ７０４および第２のネットワークエンティティ７０６の一方または両方を介してネットワーク７０８と通信し得る。他の態様では、ＵＥ７０２を含む複数のＵＥは、第１のネットワークエンティティ７０４および第２のネットワークエンティティ７０６を含む１つ以上のネットワークエンティティとの通信カバレッジ内にあり得る（be in communication coverage with）。
【００４７】
[0060]  例えば、ＵＥ７０２は、１つ以上の通信チャネル７１０上でまたはそれらを使用して第１のネットワークエンティティ７０４と通信し得る。さらに、例えば、ＵＥ７０２は、１つ以上の通信チャネル７１２上でまたはそれらを使用して第２のネットワークエンティティ７０６と通信し得る。そのような態様では、通信チャネル７１０および７１２は、１つ以上の技術タイプ（例えば、ＬＴＥ）に基づいて、通信を利用または容易にし得る。加えて、１つ以上の通信チャネル７１０および／または７１２は、図３−５に関連してここに説明された通信態様に従って、アップリンクおよびダウンリンク上で通信し得る。
【００４８】
[0061]  ＵＥ７０２は、第１のネットワークエンティティ７０４および第２のネットワークエンティティ７０６のうちの１つまたは両方において含まれるまたは配置される（deployed at）１つ以上のセルと通信し得ることが理解されるべきである。つまり、ＵＥ７０２は、第１のネットワークエンティティ７０４における１つのセルから第１のネットワークエンティティ７０４における別のセルへの選択または再選択をし得る。他の態様では、第１のネットワークエンティティ７０４は、ＵＥ７０２が無線リソース制御（ＲＲＣ）接続状態を維持する第１のセル、と代替的に呼ばれ得る。加えて、ＵＥ７０２は、ワイヤレス通信を、第１のネットワークエンティティ７０４および／または第２のネットワークエンティティ７０６へ送信し得るおよび／またはそれらから受信し得る。例えば、そのようなワイヤレス情報は、これに限られるわけではないが、ＰＤＣＣＨ送信を含み得る。
【００４９】
[0062]  いくつかの態様では、ＵＥ７０２はまた、当業者によって（ならびにここで置換え可能に）、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、端末、ユーザエージェント、モバイルクライアント、クライアント、ワイヤレス送信／受信ユニット、モノのインターネットのためのデバイス、または何らかの他の好適な用語でも呼ばれ得る。
【００５０】
[0063]  加えて、第１のネットワークエンティティ７０４および第２のネットワークエンティティ７０６は、マクロセル、スモールセル、ピコセル、フェムトセル、アクセスポイント、リレイ、ノードＢ、モバイルノードＢ、ＵＥ（例えば、ＵＥ７０２とピアツーピアまたはアドホックモードで通信している）、または、事実上、ＵＥ７０２においてワイヤレスネットワークアクセスを提供するためにＵＥ７０２と通信することができる如何なるタイプのコンポーネントでもあり得る。
【００５１】
[0064]  本態様に従って、ＵＥ７０２は、復号コンポーネント７２０を含み得、それは、第１のネットワークエンティティ７０４および第２のネットワークエンティティ７０６の一方または両方によって送信またはブロードキャストされた制御チャネルを復号するように構成される様々なコンポーネントおよび／またはサブコンポーネントを含み得る。具体的には、ＵＥ７０２は、受信されたサブフレーム７３４を、それの制御チャネル（例えば、ＰＤＣＣＨ７３６）を復号するために効率的に復号するように構成され得る。例えば、ＰＤＣＣＨは、ＬＴＥにおいてデータ送信をサポートするために使用されるダウンリンク制御チャネルであり得る。加えて、ＰＤＣＣＨは、スケジューリング割り当ておよび他の制御情報を搬送し得る。１つ以上の通信チャネル７１０および／または７１２は、ＰＤＣＣＨを含み得るまたはＰＤＣＣＨ上で通信し得る。
【００５２】
[0065]  ある態様では、復号コンポーネント７２０は、第１のネットワークエンティティ７０４および第２のネットワークエンティティ７０６の一方または両方から制御チャネル限定条件７２４を受信するように構成され得る。したがって、復号コンポーネント７２０は、制御チャネル限定条件７２４を決定するように構成され得、それによってブラインド復号プロシージャで必要とされる検索を低減し、その結果ＵＥがより効率的にブラインド復号することが可能になる。言い換えれば、復号コンポーネント７２０は、１つ以上のサブフレーム７３４中の制御チャネル（例えば、ＰＤＣＣＨ７３６）の復号を限定するために、制御チャネル限定条件７２４に含まれるまたはその中に生じる１つ以上の制御チャネル限定を決定するように構成され得る。いくつかの態様では、制御チャネル限定条件７２４は、ＰＤＣＣＨの数７２６、検索空間７２８、ＤＣＩフォーマットおよび／または非連続的なＣＣＥ７３２に対する限定に限られるわけではないが、それらのようないくつかの異なるタイプの制御チャネル限定を含み得る。
【００５３】
[0066]  例えば、復号コンポーネント７２０は、第１のネットワークエンティティ７０４および第２のネットワークエンティティ７０６の一方または両方から制御チャネル限定条件７２４を含む送信を受信した後に、制御チャネル限定条件７２４を決定するように構成される。さらに、復号コンポーネント７２０は、識別コンポーネント７２２を含み得、それは、制御チャネル限定条件７２４に合致する少なくとも１つのサブフレーム（例えば、受信されたサブフレーム７３４中の）を識別するように構成され得る。実際、いくつかの態様では、ＵＥ７０２は、第１のネットワークエンティティ７０４および第２のネットワークエンティティ７０６の一方または両方からの、制御チャネル限定条件７２４を形成しているサブフレームマスクと制御チャネル限定タイプとを受信および識別するように構成され得る。
【００５４】
[0067]  別の態様では、復号コンポーネント７２０は、制御チャネル限定条件７２４に基づいて、ネットワークエンティティに関連する少なくとも１つのサブフレーム（例えば、サブフレーム７３４）中の制御チャネル（例えば、ＰＤＣＣＨ７３６）をブラインド復号するように構成され得る。いくつかの態様では、ネットワークエンティティは、サービングまたは非サービングネットワークエンティティであり得る。さらに、非サービングネットワークエンティティに関連する制御チャネルは、制御チャネル限定条件７２４に合致し得る。例えば、１つ以上の通信チャネル７１２を介して第２のネットワークエンティティ７０６から１つ以上のサブフレーム７３４を受信した後で、復号コンポーネント７２０は、制御チャネル限定条件７２４に基づいて、１つ以上のサブフレーム７３４内に含まれる１つ以上のＰＤＣＣＨ７３６を復号するように構成され得る。
【００５５】
[0068]  例えば、ある態様では、第１のネットワークエンティティ７０４は、サービングネットワークエンティティであり得、第２のネットワークエンティティ７０６は非サービングネットワークエンティティであり得る。さらに、ＵＥ７０２は第１のネットワークエンティティ７０４および第２のネットワークエンティティ７０６の一方または両方から制御チャネル限定条件７２４に関連するサブフレームタイプ情報（subframe type information）を既に受信しているので、ＵＥ７０２は、制御チャネル限定条件７２４が適用されたサブフレーム７３４を認識または識別し得る。その結果、ＵＥ７０２は、さらなる処理および復号のためのサブフレームとして（例えば、ＵＥ７０２のＰＤＣＣＨを含むものとして）制御チャネル限定条件７２４によって識別されたサブフレーム７３４に対してのみ、さらなる復号および処理を実行し得る。
【００５６】
[0069]  制御チャネル限定条件７２４は、ネットワークエンティティによって決定されるかさもなければ形成され得る。例えば、第１のネットワークエンティティ７０４および第２のネットワークエンティティ７０６の一方または両方は、制御チャネル限定コンポーネント７４０を含み得、それは制御チャネルスケジューリングとＵＥ７０２への後続の送信（例えば、ＰＤＣＣＨ７３６の送信）を限定するように構成され得る。
【００５７】
[0070]  制御チャネル限定コンポーネント７４０は、制御チャネル送信（例えば、１つ以上のＰＤＣＣＨ７３６）を含む少なくとも１つのサブフレーム（例えば、１つ以上のサブフレーム７３４中の）に対して制御チャネル限定条件７２４を適用するようにまたはそうでなければ設定するように構成され得る。これにより、制御チャネル限定条件７２４は、ＵＥ７０２への１つ以上のサブフレーム７３４中の制御チャネル送信（例えば、１つ以上のＰＤＣＣＨ７３６の送信）の配列またはスケジューリングを限定し得る。
【００５８】
[0071]  ある態様では、制御チャネル限定コンポーネント７４０は、１つ以上のサブフレーム７３４中のＰＤＣＣＨの数７２６を限定するように構成され得る。例えば、制御チャネル限定条件７２４を１つ以上のサブフレーム７３４へ適用するために、制御チャネル限定コンポーネント７４０は、１つ以上のサブフレーム７３４の少なくとも１つのサブフレーム中の制御チャネル送信（例えば、ＰＤＣＣＨ７３６）の数を限定するように構成され得る。そのような限定は、サブフレーム７３４の全てのサブフレームまたはサブフレーム７３４の選択されたサブセットに適用され得る。
【００５９】
[0072]  別の態様では、制御チャネル限定コンポーネント７４０は、制御チャネル送信中の少なくとも１つのダウンリンク制御情報（ＤＣＩ）フォーマット７３０のダウンリンクグラントの数を限定するように構成され得る。そのような態様では、ＰＤＣＣＨは、ＤＣＩとして知られるメッセージを搬送し得、それはＵＥ７０２またはＵＥ７０２を含むＵＥのグループのための送信リソース割り当ておよび他の制御情報を含む。このようなものとして、制御チャネル限定条件７２４は、少なくとも１つのＤＣＩフォーマット７３０のダウンリンクグラントの数に対する限定を含み得る。例えば、制御チャネル限定条件７２４を１つ以上のサブフレーム７３４に適用するために、制御チャネル限定コンポーネント７４０は、制御チャネル送信（例えば、１つ以上のサブフレーム７３４中の１つ以上のＰＤＣＣＨ７３６の送信）中の１つ以上のＤＣＩフォーマット７３０のダウンリンクグラントの数を限定するように構成され得る。
【００６０】
[0073]  加えて、制御チャネル限定コンポーネント７４０は、制御チャネル送信に関連するアグリゲーションレベル７３８を限定するように構成され得る。したがって、制御チャネル限定条件７２４は、制御チャネル（例えば、１つ以上のＰＤＣＣＨ７３６）に関連するアグリゲーションレベル７３８の限定を含み得る。具体的には、制御チャネル限定条件７２４を１つ以上のサブフレーム７３４に適用するために、制御チャネル限定コンポーネント７４０は、制御チャネル送信（例えば、１つ以上のＰＤＣＣＨ７３６）に関連するアグリゲーションレベル７３８を限定するように構成され得る。
【００６１】
[0074]  いくつかの態様では、アグリゲーションレベル７３８は、制御チャネル送信における制御チャネル要素（ＣＣＥ）の数を示し得る。具体的に言えば、ＰＤＣＣＨ送信中のＣＣＥの数は、アグリゲーションレベルに依存し得、それは、送信されるビットの数に応じて１、２、４および８であることができる。例えば、物理制御チャネル（例えば、ＰＤＣＣＨ７３６）は、１つ以上のＣＣＥのアグリゲーションで送信され得、この場合ＣＣＥは、９つのリソース要素グループ（ＲＥＧ）に対応し得る。そして各ＲＥＧは、４つのリソース要素（ＲＥ）を有し得る。
【００６２】
[0075]  ある限定しない態様において、制御チャネル限定条件７２４がＤＣＩフォーマット７３０に対する限定および／またはアグリゲーションレベル７３８に対する限定を含む時、制御チャネル限定コンポーネント７４０は、事前に定義されたアグリゲーションレベル（例えば、ある時間に割り振られたＣＣＥの数）と共にある特定のＤＣＩフォーマットのダウンリンクグラントに基づいて、サブフレーム７３４を限定するように構成され得る。実際、無線ネットワーク一時識別子（ＲＮＴＩ：Radio Network Temporary Identities）と一緒にアグリゲーションレベルを知ることは、可能性のあるＤＣＩ開始位置を識別する。アグリゲーションレベルが高いほど、所与のサブフレームの制御領域において送信されることができるＰＤＣＣＨは少なくなる。同じセルによって同じサブフレーム中で送信される異なる複数のＰＤＣＣＨは、異なるアグリゲーションレベルを使用することができることに留意されたい。
【００６３】
[0076]  例えば、一般にＤＣＩフォーマット２、２Ａ、２Ｂ、および２Ｃは、それぞれＴＭ４、３、８、および９において構成されるＵＥをスケジューリングするために使用され得る。しかしながら、ＵＥ７０２の動作を単純化するため、ＤＣＩフォーマット７３０およびアグリゲーションレベル７３８の限定条件は、ある特定のＴＭ、例えば、ＴＭ４において構成されるＵＥのみをサービスする。その結果、ＤＣＩフォーマット２のみが使用され得、よって、ＵＥ７０２におけるブラインド復号の回数が低減される。この場合もやはり、この限定は、サブフレーム７３４の全てのサブフレームまたはサブフレーム７３４の選択されたサブセットに適用され得る。
【００６４】
[0077]  さらなる態様において、制御チャネル限定コンポーネント７４０は、制御チャネル送信に関連する検索空間７２８を限定するように構成され得る。したがって、制御チャネル限定条件７２４は、制御チャネル（例えば、１つ以上のＰＤＣＣＨ）に関連する検索空間７２８に対する限定を含み得る。具体的には、制御チャネル限定条件７２４を１つ以上のサブフレーム７３４に適用するために、制御チャネル限定コンポーネント７４０は、制御チャネル（例えば、１つ以上のＰＤＣＣＨ）に関連する検索空間７２８のサイズまたは領域を限定するように構成され得る。
【００６５】
[0078]  検索空間７２８は、制御チャネルを位置付けるために使用されるＣＣＥ位置のセットを示し得る。例えば、ＵＥ７０２がそれのＰＤＣＣＨ７３６の１つ以上を見つけ得るＣＣＥ位置のセットが、検索空間７２８とみなされ得る。そのような態様では、検索空間７２８は、各ＰＤＣＣＨフォーマットごとに異なるサイズであり得る。さらに、別々の専用および共通検索空間が定義され得、この場合、専用検索空間は、全てのＵＥが共通検索空間の範囲を知らされる一方で、各ＵＥについて独立して構成され得る。
【００６６】
[0079]  ある限定されない例において、制御チャネル限定条件７２４が検索空間７２８に対する限定を含む時、第１のネットワークエンティティ７０４および第２のネットワークエンティティ７０６の一方または両方は、ＣＣＥの事前に定義されたサブセット上でのみダウンリンクグラントが送信されることを保証し得る。そのサブセットは、隣接セルのＰＤＣＣＨ７３６の復号を試みるＵＥ７０２のための新しい検索空間になり得る。この場合もまた、この限定は、サブフレーム７３４の全てのサブフレームまたはサブフレーム７３４の選択されたサブセットに適用され得る。
【００６７】
[0080]  いくつかの態様では、制御チャネル限定コンポーネント７４０は、アグリゲーションレベル７３８に基づいて、各ＲＮＴＩに関して検索空間７２８を限定するように構成され得る。ＲＮＴＩは、特に、第１のネットワークエンティティ７０４および第２のネットワークエンティティ７０６の一方または両方を介してＵＥ７０２とネットワーク７０８との間でメッセージをシグナリングする際に、ワイヤレス通信システム７００のような通信ネットワーク内でＵＥ７０２等のＵＥを識別するために使用され得る。
【００６８】
[0081]  例えば、ネットワークエンティティは、アクティブＵＥ（すなわち、懸案の（pending）ダウンリンクデータを有するＵＥ）のセットを有し得、この場合、各アクティブＵＥは１つのＲＮＴＩに関連する。その結果、各ＲＮＴＩについて、およびそのアグリゲーションレベルに基づいて、いくつかの候補位置（candidate location）が選ばれ得る。そのようなものとして、アクティブＲＮＴＩ中の１６個の潜在的なＰＤＣＣＨ送信が決定され得る（例えば、ＲＮＴＩ×アグリゲーションレベルの数×候補の数＋そのアグリゲーションレベル）。ノードは、事前に割り当てられた／シグナリングされた限定された（restricted）検索空間内の（fall with）これらの１６個のＰＤＣＣＨ送信の中から選び得る。
【００６９】
[0082]  さらに、検索空間７２８を限定するために、制御チャネル限定コンポーネント７４０は、オーバーラップしていないＣＣＥ位置のセットに検索空間７２８を限定するために、少なくとも１つの隣接しているネットワークエンティティと協調（coordinate with）するように構成され得る。例えば、そのような態様では、第１のネットワークエンティティ７０４は、サービングネットワークエンティティであり得、第２のネットワークエンティティは、隣接しているネットワークエンティティであり得る。したがって、第１のネットワークエンティティ７０４は、第２のネットワークエンティティ７０６と協調して、１つ以上のＰＤＣＣＨを含むＣＣＥ位置が、そのＰＤＣＣＨを含む第２のネットワークエンティティ７０６のＣＣＥ位置とオーバーラップしないように、検索空間７２８をスケジューリングまたはアレンジ（arrange）し得る。
【００７０】
[0083]  制御チャネル限定条件７２４の複数のネットワークエンティティ（例えば、複数のｅＮＢ）間の協調および通信（communication）は、バックホール通信（例えば、Ｘ２上での）を介して、あるいは有線または無線通信（例えば、リレイおよびフェムトセルを用いた）を介して実行され得、それにより非サービングネットワークエンティティのＰＤＣＣＨに対する干渉抑制を実行することに留意されたい。例えば、干渉抑制は、コードワードレベルの干渉除去（codeword-level interference cancellation）を含み得る。
【００７１】
[0084]  ＵＥ７０２がダウンリンクグラントのさらなる処理に関心がある（interested in）時は、何れの場所においても追加的なＰＤＣＣＨが送信され得ることに留意されたい。言い換えれば、ＵＥ７０２は、ダウンリンクグラントを復号することに関心があり得るので、他のタイプの情報（例えば、ＵＬグラント、電力制御コマンド等）は、依然ＣＣＥのそのセット外で送信され得る。
【００７２】
[0085]  追加的な態様において、ＵＥ７０２がより高いアグリゲーションレベルで１つ以上のＰＤＣＣＨ７３６を復号しなければならないことを防ぐために、制御チャネル限定コンポーネント７４０は、１つ以上のサブフレーム７３４中の非連続的なＣＣＥ７３２に制御チャネル送信（例えば、１つ以上のＰＤＣＣＨ７３６）のスケジューリングを限定するように構成され得る。言い換えれば、制御チャネル限定条件７２４は、少なくとも１つのサブフレーム７３４中の非連続的なＣＣＥ７３２への１つ以上のＰＤＣＣＨ７３６のスケジューリングに対する限定を含み得る。具体的には、制御チャネル限定条件７２４を１つ以上のサブフレーム７３４に適用するために、制御チャネル限定コンポーネント７４０は、１つ以上のサブフレーム７３４中の非連続的なＣＣＥ７３２に制御チャネル送信（例えば、１つ以上のＰＤＣＣＨ７３６）のスケジューリングを限定するように構成され得る。
【００７３】
[0086]  さらに、制御チャネル限定条件７２４が非連続的なＣＣＥ７３２に対する限定を含む時、ネットワークエンティティ（例えば、第１のネットワークエンティティ７０４および／または第２のネットワークエンティティ７０６）は、対応するＰＤＣＣＨ７３６が空のＣＣＥをそれらの間に必ず有するようにするＲＮＴＩ候補をスケジューリングし得る。例えば、２つのＰＤＣＣＨ７３６が、アグリゲーションレベルＮ＝Ｍ＝４または２または１で、ＣＣＥ［ｘ、ｘ＋１、．．．、ｘ＋Ｎ−１］および［ｙ、ｙ＋１、．．．、ｙ＋Ｍ−１］で送信されると仮定する。ｙ＝ｘ＋Ｎの場合、すなわち、それらがＣＣＥ空間で連続する場合、ＵＥ７０２は、全てのＣＣＥを、単一の、より高いアグリゲーションレベルのＰＤＣＣＨとして復号しようと試み得、それによって、潜在的により高い誤検出および／または誤警報確率を被る。
【００７４】
[0087]  例えば、基地局がアグリゲーションレベル２を使用する時、ＣＣＥは、２つ一組で割り振られ得る。２つのＰＤＣＣＨ７３６が順に割り振られる時場合、４つの連続するＣＣＥが割り振られ得ることになる。しかしながら、これは、そのノードが２つのＰＤＣＣＨ７３６をアグリゲーションレベル２で送っているのか、あるいは１つのＰＤＣＣＨ７３６をアグリゲーションレベル４で送っているのか、ＵＥが決定することを難しくする。それはどちらにしろ４つの連続するＣＣＥを使用するからである。
【００７５】
[0088]  しかしながら、制御チャネル限定条件７２４が非連続的なＣＣＥ７３２に対する限定を含む時、ネットワークエンティティは、２つがＣＣＥ［Ｎ、Ｎ＋１］に、２つがＣＣＥ［Ｎ＋４、Ｎ＋５］に配置されるようにＣＣＥ割り振りをジグザグに配置（stagger）し得るまたは一定の間隔で配置し得る（spaced）。その結果、未使用のＣＣＥ［Ｎ＋２、Ｎ＋３］に形成されたギャップが、対応するＰＤＣＣＨのアグリゲーションレベルが２であって、４でないことをＵＥ７０２に知らせる（clue）または示すことになる。
【００７６】
[0089]  図８および図９は、提示される主題事項の様々な態様に従って様々な手法（methodologies）を例示する。説明の簡略化の目的で、これら手法は、一連の動作またはシーケンスステップとして説明および示されるが、いくつかの動作は、ここに説明および示されるものとは異なる順序で、および／または他の動作と同時に生じ得るので、特許請求される主題事項は、動作の順序によって限定されないことが理解および認識されるべきである。例えば、当業者は、１つの手法が、一連の相互に関連した状況またはイベントとしておよび／または事実上同時並行して実行されることができることを理解および認識するであろう。さらに、以下で複数のブロックで説明される様々な手法は、独立して、または何らかの組み合わせで実行され得る。
【００７７】
[0090]  図８を参照すると、ある動作態様において、ＵＥ７０２等のＵＥは、通信システムにおいて制御チャネルを復号するために、方法８００の１つの態様を実行し得る。
【００７８】
[0091]  ある態様では、ブロック８１０において、方法８００は、制御チャネル限定条件を決定し得る。例えば、ここに説明されたように、ＵＥ７０２は、制御チャネル限定条件７２４を決定するために、復号コンポーネント７２０を実行するように構成され得る。
【００７９】
[0092]  さらに、ブロック８２０において、方法８００は、受信された信号において、その制御チャネル限定条件に合致する少なくとも１つのサブフレームを識別し得る。例えば、ここに説明されたように、ＵＥ７０２および／または復号コンポーネント７２０は、受信された信号において、その制御チャネル限定条件に合致する少なくとも１つのサブフレームを識別するために、識別コンポーネント７２２を実行するように構成され得る。
【００８０】
[0093]  ブロック８３０において、方法８００は、その制御チャネル限定条件に基づいて、少なくとも１つのサブフレーム中でネットワークエンティティに関連する制御チャネルを復号し得る。例えば、ここに説明されたように、ＵＥ７０２は、その制御チャネル限定条件に基づいて、少なくとも１つのサブフレーム中でネットワークエンティティに関連する制御チャネルを復号するために、復号コンポーネント７２０を実行するように構成され得る。いくつかの態様では、ネットワークエンティティに関連する制御チャネルは、その制御チャネル限定条件に合致する。
【００８１】
[0094]  図９を参照して、ある動作態様において、第１のネットワークエンティティ７０４および／または第２のネットワークエンティティ７０６のようなネットワークエンティティは、制御チャネル送信を限定するために、方法９００の１つの態様を実行し得る。
【００８２】
[0095]  ある態様では、ブロック９１０において、方法９００は、制御チャネル限定条件に従って少なくとも１つのサブフレームについての制御チャネル送信を生成し得る。例えば、ここに説明されたように、第１のネットワークエンティティ７０４および／または第２のネットワークエンティティ７０６は、制御チャネル限定条件に従って少なくとも１つのサブフレームについての制御チャネル送信を生成するために、制御チャネル限定コンポーネントを実行するように構成され得る。いくつかの態様では、制御チャネル限定条件は、少なくとも１つのサブフレームにおける制御チャネル送信の配列を限定する。
【００８３】
[0096]  ブロック９２０において、方法９００は、制御チャネル送信を送信し得る。例えば、ここに説明されたように、第１のネットワークエンティティ７０４および／または第２のネットワークエンティティ７０６は、制御チャネル送信を送信するために、制御チャネル限定コンポーネントを実行するように構成され得る。
【００８４】
[0097]  図１０は、ある例示的な装置１００２における異なるモジュール／手段／コンポーネント間のデータフローを例示する概念的データフロー図１０００である。この装置は、ＵＥ７０２等のＵＥであり得る。この装置は、制御チャネル限定条件７２４を受信する受信モジュールを含み得る。さらに、この装置は、制御チャネル限定条件を決定する決定モジュール１００４を含み得る。ある態様では、受信モジュール１０１２は、ネットワークエンティティ１０５０から（例えば、ユニキャストまたはブロードキャストシグナリングを介した）送信を受信し得、ここでこの送信は、制御チャネル限定条件を含む。そのような態様では、サービングネットワークエンティティ１０５０は、通信１０５４における非連続的なＣＣＥ限定条件、検索空間、アグリゲーションレベル、ＤＣＩフォーマット、およびＰＤＣＣＨの数に対する限定等の情報を提供し得る。
【００８５】
[0098]  さらに、この装置は、受信された信号１０５４において、例えば、ネットワークエンティティ１０５０からの送信に関連する制御チャネル限定条件に合致する少なくとも１つのサブフレームを識別するための識別モジュール１００６を含む。加えて、この装置１００２は、制御チャネル限定条件に基づいて、少なくとも１つのサブフレーム中のネットワークエンティティに関連する制御チャネルを復号するための復号モジュール１００８を含み得る。図１０の複数のモジュールのうちの何れか１つは、復号コンポーネント７２０と同じかまたは同様の機能性を含み得る。
【００８６】
[0099]  さらに、この装置１００２は、少なくとも１つのネットワークエンティティ（例えば、１０５０）へ情報１００７を通信し得る送信モジュール１０１０を含み得る。ある態様では、ネットワークエンティティ１０５０は、１つ以上の他のＵＥ、ｅＮＢ（例えば、第１のネットワークエンティティ７０４および／または第２のネットワークエンティティ７０６）等であり得る。図１０の複数のモジュールのうちの何れか１つは、復号コンポーネント７２０と同じかまたは同様の機能性を含み得る。
【００８７】
[00100]  図１１は、ある例示的な装置１１１８における異なるモジュール／手段／コンポーネント間のデータフローを例示する概念的データフロー図１１００である。この装置は、第１のネットワークエンティティ７０４および／または第２のネットワークエンティティ７０６等のネットワークエンティティであり得る。この装置は、ＵＥ１１５０から情報１１２２を受信する受信モジュール１１０４を含み得る。さらに、この装置は、制御チャネル限定条件１１２４を制御チャネル送信を含む少なくとも１つのサブフレームに適用し得る制御チャネル限定モジュール１１０６を含み得る。さらに、制御チャネル限定条件は、少なくとも１つのサブフレーム中の制御チャネル送信の配列を限定する。
【００８８】
[00101]  さらに、この装置１１１８は、制御チャネル限定条件１１２４および／または制御チャネル送信１１１６を少なくとも１つのＵＥ１１５０（例えば、ＵＥ７０２）に送信またはそうでなければ通信し得る送信モジュール１１１４を含み得る。ある態様では、ＵＥ１０５０は、１つ以上の他のＵＥであり得る。図１１の複数のモジュールのうちの何れか１つは、復号コンポーネント７２０と同じかまたは同様の機能性を含み得る。
【００８９】
[00102]  装置１００２および１１１８は、図８および９の前述のフローチャートにおける構成および／またはプロシージャの複数のブロックの各々を実行する追加的なモジュールを含み得る。したがって、図８および図９の前述のフローチャートにおける各ブロックは、あるモジュールによって実行され得、装置は、これらのモジュールのうちの１つ以上を含み得る。これらモジュールは、述べられたプロセス／アルゴリズムを実行（carry out）するように特に構成された１つ以上のハードウェアコンポーネントであるか、述べられたプロセス／アルゴリズムを実行するよう構成されたプロセッサによって実現されるか、プロセッサによる実現のためにコンピュータ読み取り可能な媒体内に記憶されるか、またはこれらの何らかの組み合わせであり得る。
【００９０】
[00103]  図１２は、処理システム１２１４を用いる装置１００２についてのハードウェア実装の例を例示する図１２００である。処理システム１２１４は、概してバス１２２４によって表されるバスアーキテクチャを用いて実装され得る。バス１２２４は、処理システム１２１４の特定の用途および全体的な設計制約に応じて、相互接続バスおよびブリッジをいくつでも含み得る。バス１２２４は、プロセッサ１２０４、モジュール１００４、１００６、１００８、１０１０、１０１２、およびコンピュータ読み取り可能な媒体１２０６によって表される、１つ以上のプロセッサおよび／またはハードウェアモジュールを含む様々な回路を互いにリンクする。バス１２２４はまた、タイミングソース、周辺機器、電圧レギュレータ、および電力管理回路のような、様々な他の回路もリンクさせ得るが、これらは当該技術で周知であるため、これ以上説明されることはない。
【００９１】
[00104]  処理システム１２１４は、トランシーバ１２１０に結合され得る。トランシーバ１２１０は、１つ以上のアンテナ１２２０に結合される。トランシーバ１２１０は、送信媒体を介して様々な他の装置と通信するための手段を提供する。処理システム１２１４は、コンピュータ読み取り可能な媒体１２０６に結合されたプロセッサ１２０４を含む。プロセッサ１２０４は、コンピュータ読み取り可能な媒体１２０６に記憶されたソフトウェアの実行を含む一般的な処理を担う。ソフトウェアは、プロセッサ１２０４によって実行されると、処理システム１２１４に、任意の特定の装置についてここに説明される様々な機能を実行させる。コンピュータ読み取り可能な媒体１２０６はまた、ソフトウェアを実行する際にプロセッサ１２０４によって操作されるデータを記憶するためにも使用され得る。処理システムはさらに、モジュール１００４、１００６、１００８、１０１０および１０１２のうちの少なくとも１つを含む。
【００９２】
[00105]  これらのモジュールは、プロセッサ１２０４上で動作（run）するかコンピュータ読み取り可能な媒体１２０６に存在／記憶されたソフトウェアモジュールか、プロセッサ１２０４に結合された１つ以上のハードウェアモジュールか、またはそれらの何らかの組み合わせであり得る。処理システム１２１４は、復号コンポーネント７２０を含むＵＥ７０２のコンポーネントであり得、およびＵＥ６５０のコンポーネントであり得、メモリ６６０および／またはＴＸプロセッサ６６８、ＲＸプロセッサ６５６、およびコントローラ／プロセッサ６５９のうちの少なくとも１つを含み得る。
【００９３】
[00106]  図１３は、処理システム１３１４を用いる装置１１１８についてのハードウェア実装の例を例示する図１３００である。処理システム１３１４は、概してバス１３２４によって表されるバスアーキテクチャを用いて実装され得る。バス１３２４は、処理システム１３１４の特定の用途および全体的な設計制約に応じて、相互接続バスおよびブリッジをいくつでも含み得る。バス１３２４は、プロセッサ１３０４、モジュール、１１０４、１１０６、１１１４、およびコンピュータ読み取り可能な媒体１３０６で表される１つ以上のプロセッサおよび／またはハードウェアモジュールを含む様々な回路を互いにリンクさせる。バス１３２４はまた、タイミングソース、周辺機器、電圧レギュレータ、および電力管理回路のような、様々な他の回路もリンクさせ得るが、これらは当該技術で周知であるため、これ以上説明されることはない。
【００９４】
[00107]  処理システム１３１４は、トランシーバ１３１０に結合され得る。トランシーバ１３１０は、１つ以上のアンテナ１３２０に結合される。トランシーバ１３１０は、送信媒体を介して様々な他の装置と通信するための手段を提供する。処理システム１３１４は、コンピュータ読み取り可能な媒体１３０６に結合されたプロセッサ１３０４を含む。プロセッサ１３０４は、コンピュータ読み取り可能な媒体１３０６に記憶されたソフトウェアの実行を含む一般的な処理を担う。ソフトウェアは、プロセッサ１３０４によって実行されると、処理システム１３１４に、任意の特定の装置に関してここに説明される様々な機能を実行させる。コンピュータ読み取り可能な媒体１３０６はまた、ソフトウェアを実行する際にプロセッサ１３０４によって操作されるデータを記憶するためにも使用され得る。処理システムはさらに、モジュール、１１０４、１１０６、および１１１４のうちの少なくとも１つを含む。
【００９５】
[00108]  これらモジュールは、プロセッサ１３０４上で動作（run）するかコンピュータ読み取り可能な媒体１３０６に存在／記憶されたソフトウェアモジュールか、プロセッサ１３０４に結合された１つ以上のハードウェアモジュールか、またはそれらの何らかの組み合わせであり得る。処理システム１３１４は、復号コンポーネント７２０を含むＵＥ７０２のコンポーネントであり得、およびＵＥ６５０のコンポーネントであり得、メモリ６６０および／またはＴＸプロセッサ６６８、ＲＸプロセッサ６５６、およびコントローラ／プロセッサ６５９のうちの少なくとも１つを含み得る。
【００９６】
[00109]  開示された処理におけるステップの特定の順序または階層は、例示的なアプローチの一例であるということは理解される。設計の選好に基づいて、これらのプロセスにおけるステップの特定の順序または階層は並べ替えられ得ることは理解される。さらに、いくつかのステップは、組み合わせられ得るか、または省略され得る。付随の方法の請求項は、様々なステップの要素を例示的な順序で提示するが、それらは提示された特定の順序または階層に限られることを意味してはいない。
【００９７】
[00110]  先の説明は、当業者が、ここに説明された様々な態様を実施することができるように提供されている。これらの態様に対する様々な変更は、当業者に容易に理解され、ここに定義された一般的な原理は、他の態様に適用され得る。したがって、請求項は、ここに示される態様に限られるようには意図されておらず、請求項の文言と一致する最大の範囲を認められるものであり、ここで、単数形でのある要素への言及は、そのように明確に述べられていない限りは、「１つおよび１つのみ」を意味するのではなく、むしろ「１つ以上」を意味するように意図されている。そうでないとの明確な記載がない限り、「何らかの」という用語は、１つ以上を意味する。当業者に知られている、または後に知られることになる、本開示全体にわたって説明された様々な態様の要素の全ての構造的および機能的同等物は、参照によりここに明確に組み込まれ、特許請求の範囲に包含されるよう意図されている。さらに、本明細書における如何なる開示も、そのような開示が特許請求の範囲に明確に記載されているか否かに関わらず、公に捧げられることを意図したものではない。要素が「〜のための手段」という表現を使用して明記されていない限り、何れの請求項の要素もミーンズプラスファンクションとして解釈されるべきではない。
以下に、本願出願の当初の特許請求の範囲に記載された発明を付記する。
［Ｃ１］
通信システムにおいて制御チャネルを復号する方法であって、
制御チャネル限定条件を決定することと、
受信された信号において、前記制御チャネル限定条件に合致する少なくとも１つのサブフレームを識別することと、
前記制御チャネル限定条件に基づいて、前記少なくとも１つのサブフレーム中のネットワークエンティティに関連する制御チャネルを復号することと、ここにおいて、前記ネットワークエンティティに関連する前記制御チャネルは、前記制御チャネル限定条件に合致する、
を備える、方法。
［Ｃ２］
前記制御チャネル限定条件は、前記少なくとも１つのサブフレーム中の制御チャネル送信の数に対する限定を含む、Ｃ１に記載の方法。
［Ｃ３］
前記制御チャネル限定条件は、少なくとも１つのダウンリンク制御情報（ＤＣＩ）フォーマットのダウンリンクグラントの数に対する限定を含む、Ｃ１に記載の方法。
［Ｃ４］
前記制御チャネル限定条件は、前記制御チャネルに関連するアグリゲーションレベルの限定を含む、Ｃ１に記載の方法。
［Ｃ５］
前記制御チャネル限定条件は、前記制御チャネルに関連する検索空間に対する限定を含む、Ｃ１に記載の方法。
［Ｃ６］
前記制御チャネル限定条件は、前記少なくとも１つのサブフレーム中の非連続的なＣＣＥへの前記制御チャネルのスケジューリングに対する限定を含む、Ｃ１に記載の方法。
［Ｃ７］
前記復号することは、前記制御チャネル限定条件に基づいて、前記ネットワークエンティティに関連する前記制御チャネルをブラインド復号することを含む、Ｃ１に記載の方法。
［Ｃ８］
前記制御チャネルは物理ダウンリンク制御チャネル（ＰＤＣＣＨ）に対応する、Ｃ１に記載の方法。
［Ｃ９］
前記ネットワークエンティティは、サービングネットワークエンティティまたは非サービングネットワークエンティティのうちの１つを含む、Ｃ１に記載の方法。
［Ｃ１０］
前記ネットワークエンティティによって送信されたデータに対して干渉抑制を実行することをさらに備える、Ｃ１に記載の方法。
［Ｃ１１］
制御チャネルを復号するための装置であって、
制御チャネル限定条件を決定するように構成される復号コンポーネントと、
受信された信号において、前記制御チャネル限定条件に合致する少なくとも１つのサブフレームを識別するように構成される識別コンポーネントと、ここにおいて、前記復号コンポーネントはさらに、前記制御チャネル限定条件に基づいて、前記少なくとも１つのサブフレーム中のネットワークエンティティに関連する制御チャネルを復号するように構成され、ここにおいて、前記ネットワークエンティティに関連する前記制御チャネルは、前記制御チャネル限定条件に合致する、
を備える、装置。
［Ｃ１２］
前記制御チャネル限定条件は、前記少なくとも１つのサブフレーム中の制御チャネル送信の数に対する限定を含む、Ｃ１１に記載の装置。
［Ｃ１３］
前記制御チャネル限定条件は、少なくとも１つのダウンリンク制御情報（ＤＣＩ）フォーマットのダウンリンクグラントの数および前記制御チャネルに関連するアグリゲーションレベルのうちの一方または両方に対する限定を含む、Ｃ１１に記載の装置。
［Ｃ１４］
前記制御チャネル限定条件は、前記制御チャネルに関連する検索空間に対する限定を含む、Ｃ１１に記載の装置。
［Ｃ１５］
前記制御チャネル限定条件は、前記少なくとも１つのサブフレーム中の非連続的なＣＣＥへの前記制御チャネルのスケジューリングに対する限定を含む、Ｃ１１に記載の装置。
［Ｃ１６］
ネットワークエンティティにおいて制御チャネル送信を限定する方法であって、
制御チャネル限定条件に従って、少なくとも１つのサブフレームについての制御チャネル送信を生成することと、ここにおいて、前記制御チャネル限定条件は、前記少なくとも１つのサブフレーム中の前記制御チャネル送信の配列を限定する、
前記制御チャネル送信を送信することと、
を備える、方法。
［Ｃ１７］
前記制御チャネル送信を生成することは、前記少なくとも１つのサブフレーム中の制御チャネル送信の数を限定することを含む、Ｃ１６に記載の方法。
［Ｃ１８］
前記制御チャネル送信を生成することは、前記制御チャネル送信において、少なくとも１つのダウンリンク制御情報（ＤＣＩ）フォーマットのダウンリンクグラントの数を限定することを含む、Ｃ１６に記載の方法。
［Ｃ１９］
前記制御チャネル送信を生成することは、前記制御チャネル送信に関連するアグリゲーションレベルを限定することを含む、Ｃ１６に記載の方法。
［Ｃ２０］
前記制御チャネル送信を生成することは、前記制御チャネル送信に関連する検索空間を限定することを含む、Ｃ１６に記載の方法。
［Ｃ２１］
前記検索空間を限定することは、アグリゲーションレベルに基づいて、前記ネットワークエンティティに関連する各無線ネットワーク一時識別子（ＲＮＴＩ）に関して前記検索空間を限定することを含む、Ｃ２０に記載の方法。
［Ｃ２２］
前記検索空間を限定することは、オーバーラップしていないＣＣＥ位置のセットに前記検索空間を限定するために、少なくとも１つの隣接しているネットワークエンティティと協調することを含む、Ｃ２０に記載の方法。
［Ｃ２３］
前記制御チャネル送信を生成することは、前記少なくとも１つのサブフレーム中で非連続的なＣＣＥに前記制御チャネル送信のスケジューリングを限定することを含む、Ｃ１６に記載の方法。
［Ｃ２４］
前記制御チャネル限定条件は、１つ以上のユーザ装置による前記少なくとも１つのサブフレーム中の前記制御チャネル送信の前記復号を限定する、Ｃ１６に記載の方法。
［Ｃ２５］
前記制御チャネル送信は、物理ダウンリンク制御チャネル（ＰＤＣＣＨ）送信に対応する、Ｃ１６に記載の方法。
［Ｃ２６］
制御チャネル送信を限定するための装置であって、
制御チャネル限定条件に従って、少なくとも１つのサブフレームについての制御チャネル送信を生成することと、ここにおいて、前記制御チャネル限定条件は、前記少なくとも１つのサブフレーム中の前記制御チャネル送信の配列を限定する、
前記制御チャネル送信を送信することと、
を行うように構成された制御チャネル限定コンポーネント
を備える、装置。
［Ｃ２７］
前記制御チャネル送信を生成するために、前記制御チャネル限定コンポーネントはさらに、前記少なくとも１つのサブフレーム中の制御チャネル送信の数を限定するように構成される、Ｃ２６に記載の装置。
［Ｃ２８］
前記制御チャネル送信を生成するために、前記制御チャネル限定コンポーネントはさらに、前記制御チャネル送信中の少なくとも１つのダウンリンク制御情報（ＤＣＩ）フォーマットのダウンリンクグラントの数および前記制御チャネル送信に関連するアグリゲーションレベルの一方または両方を限定するように構成される、Ｃ２６に記載の装置。
［Ｃ２９］
前記制御チャネル送信を生成するために、前記制御チャネル限定コンポーネントはさらに、前記少なくとも１つのサブフレーム中の非連続的なＣＣＥに前記制御チャネル送信のスケジューリングを限定するように構成される、Ｃ２６に記載の装置。
［Ｃ３０］
前記制御チャネル送信を生成するために、前記制御チャネル限定コンポーネントはさらに、前記制御チャネル送信に関連する検索空間を限定するように構成される、Ｃ２６に記載の装置。
【図１】
0006441347.tif 000002
【図２】
0006441347.tif 000003
【図３】
0006441347.tif 000004
【図４】
0006441347.tif 000005
【図５】
0006441347.tif 000006
【図６】
0006441347.tif 000007
【図７】
0006441347.tif 000008
【図８】
0006441347.tif 000009
【図９】
0006441347.tif 000010
【図１０】
0006441347.tif 000011
【図１１】
0006441347.tif 000012
【図１２】
0006441347.tif 000013
【図１３】
0006441347.tif 000014